(57)【要約】【課題】従来の微粒子を噴射させる装置を用いた模様板の製造方法では、転写板と被転写板との間隔が微細に空いていても前記微粒子がその間隔に侵入し傷を付けるため、転写板と被転写板を接着していたが、前記転写板を接着せずに模様を鮮明に模様板に転写する。【解決手段】本発明は、保護剤４ａを被転写板３の転写面に塗布することにより、微粒子６が被転写板３に直撃すると保護剤４ａが破壊されて被転写板３に傷を付け、転写板２と被転写板３の間に跳ね返りながら侵入する微粒子６ａからは被転写板３を保護する役目をするため、転写板２と被転写板３を重ねるだけで模様を鮮明に被転写板３に転写した模様板及びその製造方法の構成とした。【選択図】　　図５
2004017573.tif 000002
【特許請求の範囲】
【請求項１】
保護剤を塗布した被転写板に転写板を重ね、前記転写板の側から微粒子を噴射させた後、前記転写板を取外し転写模様板の表面の粉塵を払拭布で除去し、前記被転写板より保護剤を剥離したことを特徴とする模様板。
【請求項２】
保護剤を塗布した被転写板に転写板を重ね、前記転写板の側から微粒子を噴射させた後、前記転写板を取外し転写模様板の表面の粉塵を払拭布で除去し、前記被転写板より保護剤を剥離したことを特徴とする模様板の製造方法。
【発明の詳細な説明】
【０００１】
【発明の属する分野】
本発明は、板に各種の模様を転写する事により製造する模様板及びその製造方法に関する発明である。
【０００２】
【従来の技術】
従来から転写板と被転写板とを接着した模様板やその製造方法が知られている。
【０００３】
【発明が解決しようとする課題】
従来の微粒子を噴射させる装置を用いた模様板の製造方法では、転写板と被転写板との間隔が微細に空いていても前記微粒子がその間隔に跳ね返って傷をつけながら侵入するため、転写板と被転写板を接着しなければ模様が鮮明に転写できなかった。
【０００４】
しかしながら、転写板と被転写板を接着及び取外しを行うと転写板の破損や、接着及び取外しの手間がかかり製造コストが極めて高くなる。
【０００５】
そこで、本発明は、各種の模様を付けた転写板を被転写板と接着せずに製造する事ができるとともに、低廉に各種の模様を付けることができる模様板及びその製造方法を提供することを目的とするものである。
【０００６】
【課題を解決するための手段】
本発明は上記課題を解決するために、保護剤を塗布した被転写板に転写板を重ね、前記転写板の側から微粒子を噴射させた後、前記転写板を取外し転写模様板の表面の粉塵を払拭布で除去し、前記被転写板より保護剤を剥離したことを特徴とする模様板、及び保護剤を塗布した被転写板に転写板を重ね、前記転写板の側から微粒子を噴射させた後、前記転写板を取外し転写模様板の表面の粉塵を払拭布で除去し、前記被転写板より保護剤を剥離したことを特徴とする模様板の製造方法の構成とした。
【０００７】
【実施例】
次に、本発明である模様板、及び模様板の製造方法について送付図面に基づいて詳細に説明する。図１は、本発明である模様板の正面図である。本願発明は、各種模様が形成されている板を転写板２とするとともに、前記転写板２の模様２ａが転写される被転写板３からなる模様板１である。
【０００８】
図２は、本発明に使用する転写板２の斜視図である。本発明である模様板１を製造するためには、先ず所望の模様２ａが形成されている転写板２を用意する。模様２ａの部分は、板の部分であり透過することがない部分である。そして穴２ｂの部分は、転写板２に穴が空いていて透過する部分である。
【０００９】
図３は、本発明に使用する被転写板の転写面に保護剤を塗布している状態の斜視図である。被転写板３の転写面に保護剤４ａを均一に塗布することにより、転写板２と被転写板３との間に跳ね返りながら侵入する微粒子６ａから保護する目的がある。保護剤４ａは微粒子６が直撃すると破壊され、転写板２と被転写板３との間に跳ね返りながら侵入する微粒子６ａの傷には耐久できる保護剤４ａを使用する。
【００１０】
図４は、転写板を被転写板に重ねる状態を示した図である。転写板２を被転写板３の保護剤４ａを塗布した面に重ねる。
【００１１】
図５は、転写板を重ねた被転写板の転写面に微粒子を噴射させている状態の断面を拡大して示した図である。図４に示したように、被転写板３に転写板２を重ねた表面に、ノズル５より鉄を砂のようにした微粒子６をコンプレッサーにより噴射させて吹き掛ける。この微粒子６を吹き掛ける空気圧は、調整することができ模様により異なる圧力をかける。
【００１２】
図６は、被転写板から転写板を取外した状態を示した斜視図である。図６に示すように、図５に示した方法により、微粒子６を被転写板３の表面全体に吹き掛けると、模様２ａが被転写板３の表面に転写されて、転写模様板１ａが出来上る。
【００１３】
即ち、転写板２の模様２ａは透過性がないので、ノズル５より微粒子６を吹き掛けても微粒子６は、被転写板３の表面には直撃することがないので衝撃力が加わらない。そのために、模様２ａが位置している被転写板３の部分は微粒子６の衝撃力により傷がつくことなく、被転写板３の表面に突出した転写模様３ａが形成される。
【００１４】
尚、転写板２の穴２ｂの部分は、ノズル５から噴射される微粒子６の衝撃力で保護剤４ａを突き破って被転写板３に直接当たり被転写板３に凹状の無転写模様３ｂの部分が形成される。
【００１５】
さらに、転写板２と被転写板３との間に跳ね返りながら侵入する微粒子６ａは、微粒子６が被転写板３に衝突し、跳ね返りながら転写板２と被転写板３の間に侵入するため、衝撃力が弱まり保護剤４ａが耐久できる衝撃力になるため被転写板３に傷をつけない。よって模様が鮮明に形成される。
【００１６】
図７は、被転写板から転写板を取外した後、被転写板の表面に付着している粉塵と保護剤を払拭している状態を示した斜視図である。図６に示すように、転写板２を取外した後、転写模様板１ａの表面に付着している保護剤４ａと粉塵を払拭布７により払拭し、図１に示す模様板１が完成する。
【００１７】
【発明の効果】
本発明は以上に説明したような構成であるから以下の効果が得られる。
各種の模様を付けた転写板と被転写板を接着せずに製造することで極めて簡単に製造することができるとともに、低廉に各種の模様を付けることができる。
【図面の簡単な説明】
【図１】本発明である模様板の正面図である。
【図２】本発明に使用する転写板の斜視図である。
【図３】本発明に使用する被転写板の転写面に保護剤を塗布している状態の斜視図である。
【図４】転写板を被転写板に重ねる状態を示した図である。
【図５】転写板を重ねた被模様板の転写面に、微粒子を噴射させている状態の断面を拡大して示した図である。
【図６】被転写板から転写板を取外した状態を示した斜視図である。
【図７】被転写板から転写板を取外した後、模様板の表面に付着している粉塵と保護剤を払拭している状態を示した転写模様板の斜視図である。
【符号の説明】
１　　　　模様板
１ａ　　　転写模様板
２　　　　転写板
２ａ　　　模様
２ｂ　　　穴
３　　　　被転写板
３ａ　　　転写模様
３ｂ　　　無転写模様
４　　　　スプレー容器
４ａ　　　保護剤
５　　　　ノズル
６　　　　微粒子
６ａ　　　跳ね返りながら侵入する微粒子
７　　　　払拭布
【図１】
2004017573.tif 000003
【図２】
2004017573.tif 000004
【図３】
2004017573.tif 000005
【図４】
2004017573.tif 000006
【図５】
2004017573.tif 000007
【図６】
2004017573.tif 000008
【図７】
2004017573.tif 000009